(57)【要約】    【課題】  汚れにくく、虫の侵入を防止でき、比較的安価な農業用トンネル被覆資材を提供する。    【解決手段】  トンネル被覆部材１０は、幅方向両端部Ｌ１、Ｌ３が非通気性のフィルム部材１１、１１により形成される。幅方向中央部Ｌ２は通気性のネット部材１２により構成される。ネット部材１２としては、織物の防虫ネット、又は、配向軸交差型の不織布あるいは織布が用いられる。【選択図】  図１
2014023477.tif 000002
【特許請求の範囲】
【請求項１】
農業用トンネル被覆資材であって、
幅方向両端部が非通気性のフィルム部材により構成され、幅方向中央部が通気性を有するネット部材により構成される、３列構成の農業用トンネル被覆資材。
【請求項２】
前記ネット部材は、織物の防虫ネットであることを特徴とする、請求項１記載の農業用トンネル被覆資材。
【請求項３】
前記ネット部材は、熱可塑性樹脂の一軸配向体を、配向軸が互いに交差するように経緯積層し又は織成してなることを特徴とする、請求項１記載の農業用トンネル被覆資材。
【発明の詳細な説明】
【技術分野】
【０００１】
本発明は、農業（商用に限らず、家庭菜園、園芸などを含む）でのトンネル栽培に用いられるトンネル被覆資材に関する。
【背景技術】
【０００２】
従来の農業用トンネル被覆資材としては、非通気性のフィルム、通気のための孔が開いているフィルム、不織布、更には織物の防虫ネットなどがあり、これらを用いて被覆することが行われていた。
【０００３】
フィルムを用いる場合は、雨よけ効果及び保温性には優れるが、通気性がないため、昼間は捲り上げる手間がかかる。
孔が開いているフィルムを用いる場合は、通気性は確保されるが、小さい虫が侵入する欠点がある。
不織布を用いる場合は、１ｍｍ以下の防虫性能を確保することが難しい。
【０００４】
織物の防虫ネットを用いる場合は、必要とする防除効果によって目合いを選ぶことができ、一般的には０．２〜１．０ｍｍ目合いのものが使用される。織物の防虫ネットはまた適度な通気性も確保できる。
【０００５】
農業用トンネル被覆資材としては、更に特許文献１、２に開示されているものもある。特許文献１には、非通気性のシートの内面に通気性を有する多孔性シートを部分接着により重ね合わせたものが開示されている。特許文献２には、非通気性のフィルムの内面に不織布を積層したものが開示されている。
【先行技術文献】
【特許文献】
【０００６】
【特許文献１】実開昭６１−１６５１６０号公報
【特許文献２】特開２００８−１６７７１１号公報
【発明の概要】
【発明が解決しようとする課題】
【０００７】
しかしながら、織物の防虫ネットを用いる場合は、次のような欠点がある。
トンネル全面が防虫ネットである場合には、サイド部からの雨の跳ね返りなどによる土の浸入があり、トンネル内部の両サイドでは作物が汚れやすく、作物の品質が低下する。また、被覆後に被覆資材を剥がす場合には、防虫ネットの目合いの隙間に土が入り込んでいて、被覆資材の汚れが激しいばかりか、土が剥がれにくい。更に、織物の防虫ネットは一般的に高価であるため、全面が防虫ネットである場合には、資材費が高価となる。
【０００８】
また、特許文献１、２に記載の２層の技術では、トンネル内外の通気性は、外側の非通気性部材により支配されるので、必要な通気性を確保することが困難である。
【０００９】
本発明は、このような実状に鑑み、織物の防虫ネットの上記欠点を解消することができる、農業用トンネル被覆資材を提供することを課題とする。
【課題を解決するための手段】
【００１０】
上記の課題を解決するために、本発明は、幅方向両端部が非通気性のフィルム部材により構成され、幅方向中央部が通気性を有するネット部材により構成される、３列構成の農業用トンネル被覆資材を提供する。
【発明の効果】
【００１１】
本発明は、次のような効果を奏する。
幅方向両端部のフィルム部材は、トンネルの側面下側に位置し、雨の跳ね返りによるトンネル内の作物の汚染を防ぐ。さらにトンネルを構築する際、フィルム部材上に土を盛る場合にも汚れにくく、取外す際には土が容易にフィルム部材から剥離するので、剥がしやすい。
【００１２】
幅方向中央部のネット部材は、トンネルの天井面に位置し、トンネル内に十分な光を入れつつ、虫の侵入を防ぐ。雨が降った場合でもトンネル内に雨が霧状に注がれるため、水滴による作物の品質低下を防ぐ。
また、ネット部材は一般的に高価であるが、一部がフィルム部材であるため、全面がネット部材の場合に比べて、資材費が安価となる。
【図面の簡単な説明】
【００１３】
【図１】本発明の一実施形態を示す農業用トンネル被覆資材の平面図
【図２】農業用トンネル被覆資材の使用例を示す図
【図３】配向軸交差型ネット部材の第１例を示す図
【図４】図３のネット部材を構成するスプリットウェブを示す図
【図５】図３のネット部材を構成するスリットウェブを示す図
【図６】配向軸交差型ネット部材の第２例を示す図
【図７】図６のネット部材を構成する一軸配向テープを示す図
【図８】配向軸交差型ネット部材の第３例を示す図
【発明を実施するための形態】
【００１４】
以下、本発明の実施の形態について、詳細に説明する。
図１は本発明の一実施形態を示す農業用トンネル被覆資材の平面図である。
【００１５】
農業用トンネル被覆資材１０は、長尺のシート状で、幅方向両端部と幅方向中央部とが別部材により構成されており、Ｌ１、Ｌ２、Ｌ３の３列構成である。すなわち、幅方向一端部（第１列Ｌ１）と幅方向中央部（第２列Ｌ２）と幅方向他端部（第３列Ｌ３）との３列構成である。
【００１６】
幅方向両端部の第１列Ｌ１及び第３列Ｌ３は、非通気性のフィルム部材１１、１１により形成される。幅方向中央部の第２列Ｌ２は、通気性を有するネット部材１２により形成される。
【００１７】
前記フィルム部材１１は、透明又は半透明の合成樹脂製のフィルムで、農ＰＯ（ポリオレフィン系特殊フィルムで、昭和パックス株式会社他５社の登録商標）、農ポリ（ポリエチレン）、農ビ（塩化ビニル、酢酸ビニルなど）などの農業用フィルムを用いることができる。
【００１８】
前記ネット部材１２は、合成樹脂製で、通気性を有する網状部材であり、織物の防虫ネットを用いることができる。織物の防虫ネットは、一般に、ポリエステル系樹脂又はポリオレフィン系樹脂製の糸を織成したものである。目合いについては、必要とする防除効果によって選定するが、一般的には０．２〜１．０ｍｍの目合いのものを使用する。
【００１９】
幅方向中央部と幅方向両端部との間、すなわち前記ネット部材１２と前記フィルム部材１１、１１との境界部分は、これらを重ね合わせて、ヒートシールにより接着してある。
【００２０】
図２に上記の農業用トンネル被覆資材１０の具体的な使用例を示す。
この例では、畑等の土壌１の土を台形状に盛り上げて、平畝２を形成し、この平畝２を囲むように逆Ｕ字状のトンネル枠３を設置してある。トンネル枠２は、平畝２の延在方向に略一定間隔で多数本配置されて、農業用トンネルを形作る。
【００２１】
ここにおいて、トンネル枠３の列に、トンネル被覆資材１０を被せ、被覆資材１０の幅方向両端部（第１列Ｌ１、第３列Ｌ３）のフィルム部材１１をトンネルの両側面（又は両側面の下側部分）に位置させ、最下側部分は土中に埋める。従って、被覆資材１０の幅方向中央部（第２列Ｌ２）のネット部材１２は、トンネルの天井面（又は天井面と、両側面の上側部分）に位置させる。
【００２２】
上記のようにして使用することで、次のような効果を奏する。
第１列Ｌ１及び第３列Ｌ３のフィルム部材１１は、トンネルの側面下側に位置し、雨の跳ね返りによるトンネル内の作物の汚染を防ぐことができる。さらにトンネルを構築する際、フィルム部材Ｆ上に土を盛る場合にも汚れにくく、取外す際には土が容易にフィルム部材から剥離するので、容易に取外すことができる。
【００２３】
第２列Ｌ２のネット部材１２は、トンネルの天井面に位置し、トンネル内に十分な光を入れつつ、虫の侵入を防ぐことができる。雨が降った場合でもトンネル内に雨が霧状に注がれるため、水滴による作物の品質低下を防ぐことができる。
また、ネット部材１２として用いた織物の防虫ネットは一般的に高価であるが、一部がフィルム部材１１であるため、全面がネット部材１２の場合に比べて、資材費が安価となる。
【００２４】
前記ネット部材１２として、織物の防虫ネットを用いる場合、より具体的には、芯鞘型複合マルチフィラメントからなる織物の防虫ネットを好適に使用することができる。
【００２５】
この芯鞘型複合マルチフィラメントからなる織物の防虫ネットについて説明する。これは、０．４ｍｍ以下の目合いの防虫ネットであって、鞘成分が、芯成分より融点の低い熱可塑性樹脂からなり、５００Ｔ／ｍ以上の撚りを施した芯鞘型複合マルチフィラメントからなる織物で、鞘成分が融着することにより、マルチフィラメントのフィラメント間及び織物の糸条と糸条の交点が融着により固定され、織物の交点は平滑化されている。以下に更に詳しく説明する。
【００２６】
芯成分としては、繊維形成性ポリマーの中でも、ポリエステル系樹脂が好適に挙げられる。このようなポリエステル系樹脂としては、例えば、ポリエチレンテレフタレート、ポリブチレンテレフタレート等が挙げられるが、汎用的で入手しやすい等の点から、ポリエチレンテレフタレートが好適である。
【００２７】
鞘成分としては、ポリエステル系樹脂、ポリオレフィン系樹脂などが挙げられるが、ポリエステル系樹脂が好ましい。鞘成分は、芯成分より、融点が低い樹脂からなり、例えばイソフタル酸やスルホイソフタル酸等で変性した変性ポリエステルからなるものが好ましい。
【００２８】
芯成分と鞘成分の樹脂の好適な組み合わせとしては、芯成分にポリエステル系樹脂、鞘成分に変性ポリエステル系樹脂が好ましく、特に、芯成分にポリエチレンテレフタレート、鞘成分にイソフタル酸などを共重合した変性ポリエステルが好ましい。
【００２９】
鞘成分の融点は芯成分の融点より低い。すなわち、上記芯鞘型複合マルチフィラメントを用いて製織した後、熱セットにより鞘成分のみを融解し、マルチフィラメントのフィラメント間や、織物の糸条と糸条の交点が融着により平滑化できるような融点の差があればよい。
【００３０】
上記芯鞘型複合マルチフィラメントのフィラメント数は、２〜３６本が好ましい。また単糸繊度は、１〜１００ｄｔｅｘが好ましく、トータル繊度は、４０〜４００ｄｔｅｘ、なかでも、５０〜２００ｄｔｅｘが好ましい。尚、通風性を良好に保つ点からは、織物の厚みが小さい方が好ましく、この点からは、トータル繊度は２００ｄｔｅｘ以下が好ましく、より好ましくは１５０ｄｔｅｘ以下であり、さらに好ましくは１００ｄｔｅｘ以下である。
【００３１】
上記芯鞘型複合マルチフィラメントは、そのままあるいは複数本束ねて、糸条として用いることができる。また他のマルチフィラメントと合撚して合撚糸を糸条として用いてもよい。柔らかな防虫ネットを得やすい点からは、上記芯鞘型複合マルチフィラメントと他のマルチフィラメントとを合撚した合撚糸を用いるのが好適である。尚、これらを織物に用いる際の糸条繊度は、４０〜４００ｄｔｅｘ程度が好ましい。また、通風性を保つ点からは、織物の厚みが小さい方が好ましく、好ましくは、２００ｄｔｅｘ以下、より好ましくは１５０ｄｔｅｘ以下、さらに好ましくは１００ｄｔｅｘ以下である。
【００３２】
この防虫ネットは、上記芯鞘型複合マルチフィラメントに撚りを施したものから構成される。この撚り数は、５００Ｔ／ｍ以上が好適である。より好ましくは、７００Ｔ／ｍ以上であり、より好ましくは１０００〜２０００Ｔ／ｍである。上限は、製織上の取り扱いのし易さを考慮すると、３０００Ｔ／ｍ程度が好ましい。
【００３３】
この防虫ネットの製造方法について説明すれば、次の通りである。上記複合マルチフィラメントを用いて製織した後、鞘成分の融点以上芯成分の融点以下にて熱処理して、上記マルチフィラメントの鞘成分を融解して、マルチフィラメントの各フィラメント間や織物の糸条同士の交点を融着して固定する。その後、ＵＶ加工、撥水加工などを適宜施して、防虫ネットを得る。
【００３４】
このように、一定の芯鞘型複合マルチフィラメントを、一定以上の撚り数で撚り、鞘成分を融着させることによって、防虫ネットの織物を構成する糸条のみかけの太さを細くすることにより、単位面積あたりの空気抵抗を低減し、また薄手のものとすることにより空気抵抗を低減し、加えて織物を平滑化することにより、送風した際の空気抵抗を低減して、目合いが小さいにも拘らず、通風性の優れた農業用の防虫ネットを得ることができる。
【００３５】
前記ネット部材１２としては、織物の防虫ネットの他、合成樹脂製の配向軸交差型のネット部材を使用することができる。これは、熱可塑性樹脂の一軸配向体を、配向軸が互いに交差するように経緯積層し又は織成してなるものである。
配向軸交差型のネット部材について、図３〜図８を用いて説明する。
【００３６】
図３は、配向軸交差型ネット部材の第１例である配向軸交差型不織布５１を示す。
不織布５１は、後に図４及び図５を用いて説明するスプリットウェブ５２とスリットウェブ５３とを経緯積層して形成される。不織布５１では、スプリットウェブ５２の配向軸５２ａとスリットウェブ５３の配向軸５３ａとが互いに直交するように経緯積層されている。また、不織布５１では、積層されたスプリットウェブ５２とスリットウェブ５３との接触部位同士が熱圧着により面接着している。尚、不織布５１の具体例としては、ワリフ（ＪＸ日鉱日石エネルギー株式会社の登録商標）を挙げることができる。
【００３７】
図４は、不織布５１を構成するスプリットウェブ５２を示す。
図４（ａ）に示すスプリットウェブ５２は、前記一軸配向体に対応するものであり、熱可塑性樹脂製のフィルムを縦方向（スプリットウェブ５２の配向軸５２ａの軸方向）に一軸延伸させて、縦方向に割繊し、かつ拡幅させて形成される。詳しくは、スプリットウェブ５２は、第１の熱可塑性樹脂と、第１の熱可塑性樹脂の低い融点を有する第２の熱可塑性樹脂とを用い、多層Ｔダイ法などの成形法により作製された少なくとも２層（図では３層）からなる多層フィルムを、縦方向（長さ方向）に延伸させた後、同方向に千鳥掛けにスプリッターを用いて割繊（スプリット処理）して網状のフィルムとし、更に所定幅に拡幅させて形成される。また、スプリットウェブ５２は、幅方向全体にわたって縦方向に比較的高い強度を有する。尚、図中の符号５２ｂは幹繊維、符号５２ｃは枝繊維にそれぞれ対応する。
【００３８】
図４（ｂ）は、図４（ａ）の部分Ｐの部分拡大図であり、スプリットウェブ５２は、第１の熱可塑性樹脂の層（主層）５４の両面に第２の熱可塑性樹脂の層５５を付与して形成された３層構造を有する。第２の熱可塑性樹脂の層５５は、不織布５１の形成時にスリットウェブ５３と共に経緯積層される際のウェブ相互の接着層として機能する。ここで、第１の熱可塑性樹脂としては、高融点ポリエチレンなどを挙げることができる。また、第１の熱可塑性樹脂より融点の低い第２の熱可塑性樹脂としては、低融点ポリエチレンなどを挙げることができる。
【００３９】
図５は、不織布５１を構成するスリットウェブ５３を示す。
図５（ａ）に示すスリットウェブ５３は、前記一軸配向体に対応するものであり、熱可塑性樹脂製のフィルムに横方向（スリットウェブ５３の配向軸５３ａの軸方向）に多数のスリットを入れた後に横方向に一軸延伸させて形成される。詳しくは、スリットウェブ５３は、上記多層フィルムの両耳部を除く部分に、横方向（幅方向）に、例えば熱刃などにより平行に千鳥掛けなどの断続したスリットを形成した後、横方向に延伸させて形成される。また、スリットウェブ５３は、横方向に比較的高い強度を有する。
【００４０】
図５（ｂ）は、図５（ａ）の部分Ｑの部分拡大図であり、スリットウェブ５３は、第１の熱可塑性樹脂の層（主層）５４’の両面に第２の熱可塑性樹脂の層５５’を付与して形成された３層構造を有する。第２の熱可塑性樹脂の層５５’は、不織布５１の形成時にスプリットウェブ５２と共に経緯積層される際のウェブ相互の接着層として機能する。ここで、第１の熱可塑性樹脂の層５４’は、第１の熱可塑性樹脂の層５４と同じく、高融点ポリエチレンなどである。また、第２の熱可塑性樹脂の層５５’は、第２の熱可塑性樹脂の層５５と同じく、低融点ポリエチレンなどである。
【００４１】
図６は、配向軸交差型ネット部材の第２例である配向軸交差型不織布５６を示す。
不織布５６は、後に図７を用いて説明する一軸配向テープ５７を平行に並べたものを２組積層して形成される。不織布５６では、一方の組の一軸配向テープ５７の配向軸５７ａと他方の組の一軸配向テープ５７の配向軸５７ａとが互いに直交するように経緯積層されている。また、不織布５６では、積層された一軸配向テープ５７の接触部位同士が熱圧着により面接着している。
【００４２】
図７は、不織布５６を構成する一軸配向テープ５７を示す。
一軸配向テープ５７は、前記一軸配向体に対応するものである。一軸配向テープ５７は、第１の熱可塑性樹脂と、第１の熱可塑性樹脂の融点より低い融点を有する第２の熱可塑性樹脂とを用い、多層Ｔダイ法などの成形法により作製された少なくとも２層（図では３層）からなる多層フィルムを、縦又は横方向に一軸配向させ、裁断して多層の延伸テープとしたものである。図７に示す一軸配向テープ５７は、スプリットウェブ５２及びスリットウェブ５３と同様に、第１の熱可塑性樹脂の層（主層）５４”の両面に第２の熱可塑性樹脂の層５５”を付与して形成された３層構造を有する。第２の熱可塑性樹脂の層５５”は、不織布５６の形成時に一軸配向テープ５７を経緯積層する際のテープ相互の接着層として機能する。ここで、第１の熱可塑性樹脂の層５４”は、第１の熱可塑性樹脂の層５４と同じく、高融点ポリエチレンなどである。また、第２の熱可塑性樹脂の層５５”は、第２の熱可塑性樹脂５５と同じく、低融点ポリエチレンなどである。
【００４３】
図８は、配向軸交差型ネット部材の第３例である配向軸交差型織布５８を示す。
織布５８は、一軸配向テープ５７を織成してなる。織布５８では、一軸配向テープ５７同士が互いに直交しており、それゆえ、配向軸５７ａ同士が互いに直交している。また、織布５８では、直交する一軸配向テープ５７の接触部位同士が熱圧着により面接着している。ここで、一軸配向テープ５７における第２の熱可塑性樹脂の層５５”は、織布５８の形成時に一軸配向テープ５７を織成する際のテープ相互の接着層として機能する。
【００４４】
上述の一軸配向体（スプリットウェブ５２、スリットウェブ５３、及び、一軸配向テープ５７）は、第１の熱可塑性樹脂の層の両方の面に第２の熱可塑性樹脂の層を付与して形成された３層構造を有しているが、一軸配向体の層構造はこれに限らず、一軸構造体は、第１の熱可塑性樹脂の層の一方の面に第２の熱可塑性樹脂の層を付与して形成された２層構造を有していてもよい。
【００４５】
このように、ネット部材１２として、熱可塑性樹脂製の一軸配向体（スプリットウェブ５２、スリットウェブ５３、一軸配向テープ５７）を、配向軸が互いに交差するように経緯積層し又は織成してなる配向軸交差型ネット部材（不織布５１、５６、織布５８）を用いることにより、比較的高強度なネット部材で、十分な通気性を確保することができ、必要な防虫性能を得ることもできる。
【００４６】
尚、図示の実施形態及びその説明は、あくまで本発明を例示するものであり、本発明は、説明した実施形態により直接的に示されるものに加え、請求の範囲内で当業者によりなされる各種の改良・変更を包含するものであることは言うまでもない。
【符号の説明】
【００４７】
１  土壌
２  平畝
３  トンネル枠
１０  トンネル被覆資材
１１  フィルム部材
１２  ネット部材
【図１】
2014023477.tif 000003
【図２】
2014023477.tif 000004
【図３】
2014023477.tif 000005
【図４】
2014023477.tif 000006
【図５】
2014023477.tif 000007
【図６】
2014023477.tif 000008
【図７】
2014023477.tif 000009
【図８】
2014023477.tif 000010